(57)【要約】【課題】  ４ラインＣＣＤセンサで読取った画像信号による不正コピー防止を的確且つ迅速に行い情報の秘匿性を高める。【解決手段】  ４ラインＣＣＤセンサ１２からの読取り画像信号を入力セレクタ１４を介して判断部１６に供給し、不正コピーか否かの判断が不要な画像信号であれば、入力セレクタ１４から判断部１６へ画像信号を供給しない。これにより判断部１６は、不正コピーか否かの判断を必要とする画像信号についてのみ判別操作を実施する。あるいは、判断部１６による判別結果を出力セレクタ１４ｂを介して画像メモリ２１あるいは画像処理部１８に供給し、不正コピーか否かの判断が不要であれば、出力セレクタ１４ｂから画像メモリ２１あるいは画像処理部１８への判別結果の供給を行わない。【選択図】図１
2004274717.tif 000002
【特許請求の範囲】
【請求項１】
原稿画像を光学的に読取り、カラー画像信号及びモノクロ画像信号からなる読取り画像信号を出力する４ラインＣＣＤセンサと、
前記４ラインＣＣＤセンサからの前記読取り画像信号に画像処理を施してデジタル画像信号を出力する画像処理手段と、
前記デジタル画像信号を判別する判断部と、
前記４ラインＣＣＤセンサから出力される読取り画像信号がカラー画像信号である場合は、前記読取り画像信号を前記判断部に入力する入力セレクタとを具備することを特徴とする画像処理システム。
【請求項２】
前記４ラインＣＣＤセンサが、前記カラー画像信号と前記モノクロ画像信号とを切り換えて出力する切り換え出力ＣＣＤセンサであり、前記画像処理システムが、前記原稿画像がカラー画像であるかモノクロ画像であるかを判断するカラー選択手段を更に有し、前記入力セレクタは前記カラー選択手段が前記原稿画像がカラー画像であると判断したら、前記読取り画像信号を前記判断部に入力することを特徴とする請求項１記載の画像処理システム。
【請求項３】
前記４ラインＣＣＤセンサが、前記カラー画像信号と前記モノクロ画像信号とを切り換えて出力する切り換え出力ＣＣＤセンサであり、前記画像処理システムが、カラーモードあるいはモノクロモードをマニュアルで選択するモード選択手段を更に有し、前記入力セレクタは前記モード選択手段がカラーモードであれば、前記読取り画像信号を前記判断部に入力することを特徴とする請求項１記載の画像処理システム。
【請求項４】
原稿画像を光学的に読取り、カラー画像信号及びモノクロ画像信号からなる読取り画像信号を出力する４ラインＣＣＤセンサと、
前記４ラインＣＣＤセンサからの前記読取り画像信号を供給される入力部と、
前記読取り画像信号を判別する判断部と、
前記４ラインＣＣＤセンサから前記入力部に前記カラー画像信号が供給された場合は、前記判断部からの判別結果を前記入力部に供給する出力セレクタとを具備することを特徴とする画像処理システム。
【請求項５】
前記入力部が、前記４ラインＣＣＤセンサからの前記読取り画像信号をデジタル画像信号に変換する画像処理手段であることを特徴とする請求項４記載の画像処理システム。
【請求項６】
前記入力部が、前記４ラインＣＣＤセンサからの前記読取り画像信号を保存するメモリであることを特徴とする請求項４記載の画像処理システム。
【請求項７】
前記画像処理システムが、前記原稿画像がカラー画像であるかモノクロ画像であるかを判断するカラー選択手段を更に有し、前記出力セレクタは前記カラー選択手段が前記原稿画像がカラー画像であると判断したら、前記判断部からの判別結果を前記入力部に供給することを特徴とする請求項４記載の画像処理システム。
【請求項８】
前記画像処理システムが、カラーモードあるいはモノクロモードをマニュアルで選択するモード選択手段を更に有し、前記出力セレクタは前記モード選択手段がカラーモードであれば、前記判断部からの判別結果を前記入力部に供給することを特徴とする請求項４記載の画像処理システム。
【請求項９】
原稿画像を光学的に読取り、カラー画像信号及びモノクロ画像信号からなる読取り画像信号を出力する４ラインＣＣＤセンサと、
前記４ラインＣＣＤセンサからの前記読取り画像信号に画像処理を施してデジタル画像信号を出力する画像処理手段と、
前記デジタル画像信号を判別する判断部と、
前記４ラインＣＣＤセンサからの前記読取り画像信号から、前記カラー画像信号を選択して前記判断部に入力する入力セレクタとを具備することを特徴とする画像処理システム。
【請求項１０】
原稿画像を光学的に読取り、カラー画像信号及びモノクロ画像信号からなる読取り画像信号を出力する４ラインＣＣＤセンサと、
前記４ラインＣＣＤセンサからの前記読取り画像信号に画像処理を施してデジタル画像信号を出力する画像処理手段と、
前記デジタル画像信号を判別する判断部と、
前記４ラインＣＣＤセンサからの前記読取り画像信号の前記カラー画像信号及びモノクロ画像信号を合成してなる合成カラー画像信号を前記判断部に入力する合成手段とを具備することを特徴とする画像処理システム。
【請求項１１】
原稿画像を光学的に読取り、カラー画像信号及びモノクロ画像信号からなる読取り画像信号を出力する４ラインＣＣＤセンサと、
前記４ラインＣＣＤセンサからの前記読取り画像信号に画像処理を施してデジタル画像信号を出力する画像処理手段と、
前記カラー画像信号から前記デジタル画像信号をサブ判別するサブカラー判断部と、
前記モノクロ画像信号から前記デジタル画像信号をサブ判別するサブモノクロ判断部と、
前記サブカラー判断部による前記サブ判断及び前記サブモノクロ判断部による前記サブ判断から前記デジタル画像信号を判別する総合判断部とを具備することを特徴とする画像処理システム。
【請求項１２】
原稿画像を光学的に読取り、カラー画像信号及びモノクロ画像信号からなる読取り画像信号を出力する４ラインＣＣＤセンサと、
前記４ラインＣＣＤセンサからの前記読取り画像信号に信号処理を施してデジタル画像信号を出力する画像処理手段と、
前記画像処理手段からの前記デジタル画像信号により画像形成する画像形成手段と、
前記画像処理手段からの前記デジタル画像信号をファイルするスキャンファイル手段と、
前記デジタル画像信号を判別する判断部とを具備し、
前記画像処理手段からの前記デジタル画像信号を、前記画像形成手段に出力するかあるいは前記スキャンファイル手段に出力するかのいずれに関わらず、前記４ラインＣＣＤセンサから出力される読取り画像信号を前記判断部に入力することを特徴とする画像処理システム。
【請求項１３】
原稿画像を光学的に読取り、カラー画像信号及びモノクロ画像信号からなる読取り画像信号を出力する４ラインＣＣＤセンサと、
前記４ラインＣＣＤセンサからの前記読取り画像信号に画像処理を施してデジタル画像信号を出力する画像処理手段と、
前記読取り画像信号を、複数種のデジタル画像信号のいずれに変換するかを、前記画像処理手段に指示するモードパラメータ手段と、
前記複数種のデジタル画像信号を判別する判断部とを具備し、
前記モードパラメータの指示内容に関わらず、前記読取り画像信号を前記判断部に入力することを特徴とする画像処理システム。
【請求項１４】
原稿画像を光学的に読取り、カラー画像信号及びモノクロ画像信号からなる読取り画像信号を出力する４ラインＣＣＤセンサと、
前記４ラインＣＣＤセンサからの前記読取り画像信号に画像処理を施してデジタル画像信号を出力する画像処理手段と、
前記読取り画像信号を、複数種のデジタル画像信号のいずれに変換するかを、前記画像処理手段に指示するモードパラメータ手段と、
前記複数種のデジタル画像信号を判別する判断部とを具備し、
前記モードパラメータの指示内容に関わらず、前記４ラインＣＣＤセンサから出力され、前記画像処理手段をスルーした前記読取り画像信号を、前記判断部に入力することを特徴とする画像処理システム。
【請求項１５】
原稿台に載置される原稿画像に光りを照射し副走査方向に走査する光学キャリッジ及び、前記光学キャリッジによる前記原稿画像からの反射光が入力され、カラー画像信号及びモノクロ画像信号からなる読取り画像信号を出力する４ラインＣＣＤセンサを有するスキャナと、
画像出力倍率を入力する倍率指示手段と、
前記光学キャリッジの走査速度をピンポイント変動して前記読取り画像信号倍率を前記倍率指示手段で指示可能な倍率ポイント数よりも少ないポイント変動するキャリッジ制御手段と、
前記４ラインＣＣＤセンサからの前記読取り画像信号に画像処理を施してデジタル画像信号を出力する画像処理手段と、
前記読取り画像信号が入力されて前記デジタル画像信号を判別する判断部と、
前記判断部による判断に使用し、前記ピンポイント変動時の前記読取り画像信号倍率毎に対応する辞書とを具備することを特徴とする画像処理システム。
【請求項１６】
前記辞書は、前記判断部に入力される複数の読取り画像信号とマッチング可能に構成される事を特徴とする請求項１５記載の画像処理システム。
【請求項１７】
原稿台に載置される原稿画像に光を照射し副走査方向に走査する光学キャリッジ及び、前記光学キャリッジによる前記原稿画像からの反射光が入力され、カラー画像信号及び
モノクロ画像信号からなる読取り画像信号を出力する４ラインＣＣＤセンサを有するスキャナと、
画像出力倍率を入力する倍率指示手段と、
前記光学キャリッジの走査速度を変動して副走査方向の前記読取り画像信号倍率を変動するキャリッジ制御手段と、
前記副走査方向に倍率変動された前記４ラインＣＣＤセンサからの前記読取り画像信号を前記画像出力倍率とするように変倍処理してデジタル画像信号を出力する画像処理手段と、
前記デジタル画像信号を判別する判断部と、
前記読取り画像信号の倍率を等倍に変倍処理する等倍処理部とを具備し、
前記判断部に、前記等倍処理部を通過した等倍の前記読取り画像信号を入力することを特徴とする画像処理システム。
【請求項１８】
前記判断部による判断に使用する辞書を備え、
前記辞書が等倍率の辞書であることを特徴とする請求項１７記載の画像処理システム。
【請求項１９】
前記変倍処理部が前記４ラインＣＣＤセンサからの前記読取り画像信号の主走査方向の倍率を前記キャリッジ制御手段による副走査方向の倍率となるよう変倍し、前記等倍処理部が前記副走査方向の倍率を４ラインＣＣＤセンサからの副走査方向の倍率を等倍に変倍処理する事を特徴とする請求項１８記載の画像処理システム。
【請求項２０】
前記光学キャリッジの走査速度の変動による副走査方向の倍率がピンポイント倍率であり、前記変倍処理部が前記主走査方向の倍率及び副走査方向の倍率を前記所定の出力倍率に変倍し、前記等倍処理部が前記副走査方向の倍率を４ラインＣＣＤセンサからの副走査方向の倍率を等倍に変倍処理する事を特徴とする請求項１８記載の画像処理システム。
【請求項２１】
原稿画像を光学的に読取り、カラー画像信号及び前記カラー信号と解像度の異なるモノクロ画像信号からなる読取り画像信号を出力する４ラインＣＣＤセンサと、
前記４ラインＣＣＤセンサからの前記読取り画像信号に画像処理を施してデジタル画像信号を出力する画像処理手段と、
前記デジタル画像信号を判別する判断部と、
前記４ラインＣＣＤセンサからの前記読取り画像信号から、前記カラー画像信号あるいは前記モノクロ画像信号のいずれか１つを選択して前記判断部に入力する入力セレクタとを具備することを特徴とする画像処理システム。
【請求項２２】
原稿台に載置される原稿画像に光を照射し副走査方向に走査する光学キャリッジ及び、前記光学キャリッジによる前記原稿画像からの反射光が入力され、カラー画像信号及び前記カラー信号と解像度の異なるモノクロ画像信号からなる読取り画像信号を出力する４ラインＣＣＤセンサを有するスキャナと、
前記光学キャリッジの走査速度を変動して副走査方向の前記読取り画像信号倍率を変動するキャリッジ制御手段と、
前記４ラインＣＣＤセンサからの前記読取り画像信号に画像処理を施してデジタル画像信号を出力する画像処理手段と、
前記デジタル画像信号を判別する判断部と、
前記カラー画像信号及び前記モノクロ画像信号の解像度を揃えて、前記カラー画像信号及び前記モノクロ画像信号とを前記判断部に入力する変倍部とを具備することを特徴とする画像処理システム。
【請求項２３】
前記変倍部は、前記カラー画像信号を変倍して前記カラー画像信号及び前記モノクロ画像信号の解像度を揃えることを特徴とする請求項２２記載の画像処理システム。
【請求項２４】
前記変倍部は、前記モノクロ画像信号を変倍して前記カラー画像信号及び前記モノクロ画像信号の解像度を揃えることを特徴とする請求項２２記載の画像処理システム。
【請求項２５】
前記変倍部は、前記カラー画像信号及び前記モノクロ画像信号とをそれぞれ変倍して前記カラー画像信号及び前記モノクロ画像信号の解像度を揃えることを特徴とする請求項２２記載の画像処理システム。
【請求項２６】
原稿台に載置される原稿画像に光を照射し副走査方向に走査する光学キャリッジ及び、前記光学キャリッジによる前記原稿画像からの反射光が入力され、カラー画像信号及び前記カラー信号と解像度の異なるモノクロ画像信号からなる読取り画像信号を出力する４ラインＣＣＤセンサを有するスキャナと、
前記光学キャリッジの走査速度を変動して副走査方向の前記読取り画像信号倍率を変動するキャリッジ制御手段と、
前記４ラインＣＣＤセンサからの前記読取り画像信号に画像処理を施してデジタル画像信号を出力する画像処理手段と、
前記デジタル画像信号を判別する判断部と、
前記４ラインＣＣＤセンサからの前記読取り画像信号から、前記カラー画像信号を選択する入力セレクタと、
前記カラー画像信号及び前記モノクロ画像信号の解像度を揃えて、前記カラー画像信号及び前記モノクロ画像信号とを変倍して前記判断部に入力する変倍部とを具備することを特徴とする画像処理システム。
【発明の詳細な説明】
【技術分野】
【０００１】
本発明は、デジタル複写機やプリンタ等において４ラインＣＣＤセンサを用いて読み取ったカラー画像信号及びモノクロ画像信号の画像処理に係り、特に不正コピーの防止を考慮した画像処理システムに関する。
【背景技術】
【０００２】
デジタル複写機やプリンタ等を用いたＭｕｌｔｉ  Ｆｕｎｃｔｉｏｎ  Ｐｅｒｉｐｈｅｒａｌ（以下ＭＦＰと略称する。）といわれる画像形成装置にあっては、スキャナ等で読取った画像信号を利用する際に、特定の書類や印刷物等のコピーを禁止したり、あるいは不必要なコピーの防止が求められている。このため従来は、スキャナのＣＣＤセンサで読み取った画像信号中に特定のパターンが含まれるか否かを検出し特定のパターンが含まれていない場合は画像形成を許可し、特定のパターンが含まれる場合は画像形成を禁止して、不正あるいは不必要なコピーを防止する装置がある。（例えば、特許文献１、特許文献２参照。）
【特許文献１】特開平６−２５１１２８号公報（第３頁、図１）
【特許文献２】特開平１１−１２６２５９号公報（第９頁、図１）  但し（特許文献１）及び（特許文献２）のいずれも、原稿画像の読み取りを、Ｒ（赤）、Ｇ（緑）、Ｂ（青）のデータを発生する３ラインＣＣＤセンサにより行い、原稿画像の不正あるいは不必要なコピー防止の判断も、単に３ラインＣＣＤセンサから出力されるＲ（赤）、Ｇ（緑）、Ｂ（青）データをそのまま用いておこなえば良いものである。
【０００３】
一方近年原稿画像の読取りに、カラーＣＣＤセンサとモノクロＣＣＤセンサとを有する４ラインＣＣＤセンサを用いる装置の実用化が図られている。更にこの４ラインＣＣＤセンサを用いるＭＦＰにあっては、画像情報の読取り機能、読取った画像情報の情報処理機能、画像情報の利用形態等、バリエーションが多岐にわたり、各機能や、利用形態に応じて、画像情報の不正使用の防止対策を図る必要が有る。
【発明の開示】
【発明が解決しようとする課題】
【０００４】
そこで本発明は上記課題を解決するものであり、カラーＣＣＤセンサとモノクロＣＣＤセンサを有し、読取ったＲ（赤）、Ｇ（緑）、Ｂ（青）のカラーデータ及びモノクロデータを４ラインで出力する４ラインＣＣＤセンサにより画像を読み取る画像形成装置の画像処理システムにおいて、原稿の不正コピー防止の判断の要否を的確且つ迅速に行うものである。更に不正コピー防止の判断の要否をＭＦＰの各種バリエーションに対応させて判別可能にして、情報の秘匿性を高める。
【課題を解決するための手段】
【０００５】
本発明は上記課題を解決するための手段として、原稿画像を光学的に読取り、カラー画像信号及びモノクロ画像信号からなる読取り画像信号を出力する４ラインＣＣＤセンサと、前記４ラインＣＣＤセンサからの前記読取り画像信号に画像処理を施してデジタル画像信号を出力する画像処理手段と、前記デジタル画像信号を判別する判断部と、前記４ラインＣＣＤセンサから出力される読取り画像信号がカラー画像信号である場合は、前記読取り画像信号を前記判断部に入力する入力セレクタとを設けるものである。
【０００６】
又本発明は上記課題を解決するための手段として、原稿画像を光学的に読取り、カラー画像信号及びモノクロ画像信号からなる読取り画像信号を出力する４ラインＣＣＤセンサと、前記４ラインＣＣＤセンサからの前記読取り画像信号を供給される入力部と、前記読取り画像信号を判別する判断部と、前記４ラインＣＣＤセンサから前記入力部に前記カラー画像信号が供給された場合は、前記判断部からの判別結果を前記入力部に供給する出力セレクタとを設けるものである。
【０００７】
又本発明は上記課題を解決するための手段として、原稿画像を光学的に読取り、カラー画像信号及びモノクロ画像信号からなる読取り画像信号を出力する４ラインＣＣＤセンサと、前記４ラインＣＣＤセンサからの前記読取り画像信号に画像処理を施してデジタル画像信号を出力する画像処理手段と、前記デジタル画像信号を判別する判断部と、前記４ラインＣＣＤセンサからの前記読取り画像信号から、前記カラー画像信号を選択して前記判断部に入力する入力セレクタとを設けるものである。
【０００８】
又本発明は上記課題を解決するための手段として、原稿画像を光学的に読取り、カラー画像信号及びモノクロ画像信号からなる読取り画像信号を出力する４ラインＣＣＤセンサと、前記４ラインＣＣＤセンサからの前記読取り画像信号に画像処理を施してデジタル画像信号を出力する画像処理手段と、前記デジタル画像信号を判別する判断部と、前記４ラインＣＣＤセンサからの前記読取り画像信号の前記カラー画像信号及びモノクロ画像信号を合成してなる合成カラー画像信号を前記判断部に入力する合成手段とを設けるものである。
【０００９】
又本発明は上記課題を解決するための手段として、原稿画像を光学的に読取り、カラー画像信号及びモノクロ画像信号からなる読取り画像信号を出力する４ラインＣＣＤセンサと、前記４ラインＣＣＤセンサからの前記読取り画像信号に画像処理を施してデジタル画像信号を出力する画像処理手段と、前記カラー画像信号から前記デジタル画像信号をサブ判別するサブカラー判断部と、前記モノクロ画像信号から前記デジタル画像信号をサブ判別するサブモノクロ判断部と、前記サブカラー判断部による前記サブ判断及び前記サブモノクロ判断部による前記サブ判断から前記デジタル画像信号を判別する総合判断部とを設けるものである。
【００１０】
又本発明は上記課題を解決するための手段として、原稿画像を光学的に読取り、カラー画像信号及びモノクロ画像信号からなる読取り画像信号を出力する４ラインＣＣＤセンサと、前記４ラインＣＣＤセンサからの前記読取り画像信号に信号処理を施してデジタル画像信号を出力する画像処理手段と、前記画像処理手段からの前記デジタル画像信号により画像形成する画像形成手段と、前記画像処理手段からの前記デジタル画像信号をファイルするスキャンファイル手段と、前記デジタル画像信号を判別する判断部とを具備し、前記画像処理手段からの前記デジタル画像信号を、前記画像形成手段に出力するかあるいは前記スキャンファイル手段に出力するかのいずれに関わらず、前記４ラインＣＣＤセンサから出力される読取り画像信号を前記判断部に入力するものである。
【００１１】
又本発明は上記課題を解決するための手段として、原稿画像を光学的に読取り、カラー画像信号及びモノクロ画像信号からなる読取り画像信号を出力する４ラインＣＣＤセンサと、前記４ラインＣＣＤセンサからの前記読取り画像信号に画像処理を施してデジタル画像信号を出力する画像処理手段と、前記読取り画像信号を、複数種のデジタル画像信号のいずれに変換するかを、前記画像処理手段に指示するモードパラメータ手段と、前記複数種のデジタル画像信号を判別する判断部とを具備し、前記モードパラメータの指示内容に関わらず、前記読取り画像信号を前記判断部に入力するものである。
【００１２】
又本発明は上記課題を解決するための手段として、原稿画像を光学的に読取り、カラー画像信号及びモノクロ画像信号からなる読取り画像信号を出力する４ラインＣＣＤセンサと、前記４ラインＣＣＤセンサからの前記読取り画像信号に画像処理を施してデジタル画像信号を出力する画像処理手段と、前記読取り画像信号を、複数種のデジタル画像信号のいずれに変換するかを、前記画像処理手段に指示するモードパラメータ手段と、前記複数種のデジタル画像信号を判別する判断部とを具備し、前記モードパラメータの指示内容に関わらず、前記４ラインＣＣＤセンサから出力され、前記画像処理手段をスルーした前記読取り画像信号を、前記判断部に入力するものである。
【００１３】
又本発明は上記課題を解決するための手段として、原稿台に載置される原稿画像に光りを照射し副走査方向に走査する光学キャリッジ及び、前記光学キャリッジによる前記原稿画像からの反射光が入力され、カラー画像信号及びモノクロ画像信号からなる読取り画像信号を出力する４ラインＣＣＤセンサを有するスキャナと、画像出力倍率を入力する倍率指示手段と、前記光学キャリッジの走査速度をピンポイント変動して前記読取り画像信号倍率を前記倍率指示手段で指示可能な倍率ポイント数よりも少ないポイント変動するキャリッジ制御手段と、前記４ラインＣＣＤセンサからの前記読取り画像信号に画像処理を施してデジタル画像信号を出力する画像処理手段と、前記読取り画像信号が入力されて前記デジタル画像信号を判別する判断部と、前記判断部による判断に使用し、前記ピンポイント変動時の前記読取り画像信号倍率毎に対応する辞書とを設けるものである。
【００１４】
又本発明は上記課題を解決するための手段として、原稿台に載置される原稿画像に光を照射し副走査方向に走査する光学キャリッジ及び、前記光学キャリッジによる前記原稿画像からの反射光が入力され、カラー画像信号及びモノクロ画像信号からなる読取り画像信号を出力する４ラインＣＣＤセンサを有するスキャナと、画像出力倍率を入力する倍率指示手段と、前記光学キャリッジの走査速度を変動して副走査方向の前記読取り画像信号倍率を変動するキャリッジ制御手段と、前記副走査方向に倍率変動された前記４ラインＣＣＤセンサからの前記読取り画像信号を前記画像出力倍率とするように変倍処理してデジタル画像信号を出力する画像処理手段と、前記デジタル画像信号を判別する判断部と、前記読取り画像信号の倍率を等倍に変倍処理する等倍処理部とを具備し、前記判断部に、前記等倍処理部を通過した等倍の前記読取り画像信号を入力するものである。
【００１５】
又本発明は上記課題を解決するための手段として、原稿画像を光学的に読取り、カラー画像信号及び前記カラー信号と解像度の異なるモノクロ画像信号からなる読取り画像信号を出力する４ラインＣＣＤセンサと、前記４ラインＣＣＤセンサからの前記読取り画像信号に画像処理を施してデジタル画像信号を出力する画像処理手段と、前記デジタル画像信号を判別する判断部と、前記４ラインＣＣＤセンサからの前記読取り画像信号から、前記カラー画像信号あるいは前記モノクロ画像信号のいずれか１つを選択して前記判断部に入力する入力セレクタとを設けるものである。
【００１６】
又本発明は上記課題を解決するための手段として、原稿台に載置される原稿画像に光を照射し副走査方向に走査する光学キャリッジ及び、前記光学キャリッジによる前記原稿画像からの反射光が入力され、カラー画像信号及び前記カラー信号と解像度の異なるモノクロ画像信号からなる読取り画像信号を出力する４ラインＣＣＤセンサを有するスキャナと、前記光学キャリッジの走査速度を変動して副走査方向の前記読取り画像信号倍率を変動するキャリッジ制御手段と、前記４ラインＣＣＤセンサからの前記読取り画像信号に画像処理を施してデジタル画像信号を出力する画像処理手段と、前記デジタル画像信号を判別する判断部と、前記カラー画像信号及び前記モノクロ画像信号の解像度を揃えて、前記カラー画像信号及び前記モノクロ画像信号とを前記判断部に入力する変倍部とを設けるものである。
【００１７】
又本発明は上記課題を解決するための手段として、原稿台に載置される原稿画像に光を照射し副走査方向に走査する光学キャリッジ及び、前記光学キャリッジによる前記原稿画像からの反射光が入力され、カラー画像信号及び前記カラー信号と解像度の異なるモノクロ画像信号からなる読取り画像信号を出力する４ラインＣＣＤセンサを有するスキャナと、前記光学キャリッジの走査速度を変動して副走査方向の前記読取り画像信号倍率を変動するキャリッジ制御手段と、前記４ラインＣＣＤセンサからの前記読取り画像信号に画像処理を施してデジタル画像信号を出力する画像処理手段と、前記デジタル画像信号を判別する判断部と、前記４ラインＣＣＤセンサからの前記読取り画像信号から、前記カラー画像信号を選択する入力セレクタと、前記カラー画像信号及び前記モノクロ画像信号の解像度を揃えて、前記カラー画像信号及び前記モノクロ画像信号とを変倍して前記判断部に入力する変倍部とを設けるものである。
【発明の効果】
【００１８】
本発明によれば、４ラインＣＣＤセンサを用いて読取った画像信号の不正あるいは不必要なコピー防止の判断の要否を、画像処理システムの各種バリエーションに応じて的確且つ迅速に実施出来る。従って画像情報の不正使用を防止出来画像情報の秘匿性を向上出来る。
【発明を実施するための最良の形態】
【００１９】
本発明は４ラインＣＣＤセンサで読み取ったＲ（赤）、Ｇ（緑）、Ｂ（青）カラーデータ及びモノクロデータを、４ラインＣＣＤセンサのタイプあるいはＭＦＰ全体のシステムの夫々必要なスチュエーションに応じて、選択・判別し、不正コピー防止の判断の要否を的確に行うものである。
【実施例１】
【００２０】
図１及び図２は、本発明の実施例１を示し、図１は画像処理システム１０の概略構成図である。画像処理システム１０は、スキャナ７の原稿台７ａに載置されまたは自動原稿フィーダーに供給される原稿Ｇを光学系ユニット８で光学的に読取る４ラインＣＣＤセンサ１２、入力セレクタ１４ａ、判断部１６、画像処理部１８、画像形成手段であるプリンタ２０を有する。光学系ユニット８は、原稿Ｇを照射する光源８ａ、第１乃至第３のミラー８ｂ〜８ｄ、光源８ａ及び第１のミラーを搭載する第１のキャリッジ９ａ、第２及び第３のミラー８ｃ、８ｄを搭載する第２のキャリッジ９ｂ、レンズ系９ｃを有する。
【００２１】
４ラインＣＣＤセンサ１２は、Ｒ（赤）、Ｇ（緑）、Ｂ（青）の３ラインのカラーＣＣＤセンサとモノクロセンサの１ラインとからなる。ここで４ラインＣＣＤセンサ１２としては、カラーとモノクロの出力を切り換える切り換え出力ＣＣＤセンサ、カラーとモノクロを同時出力する同時出力ＣＣＤセンサ及び、同時出力であってカラーとモノクロで解像度が異なるＣＣＤセンサがある。
【００２２】
カラーとモノクロ同時出力ＣＣＤセンサであれば、カラー選択手段であるオートカラーセレクト（以下ＡＣＳと略称する。）１２ａあるいは、ユーザがマニュアルで選択するモード選択手段であるコントロールパネル１２ｂ操作等により、カラー信号あるいはモノクロ信号を切り換えて出力する。ＡＣＳ１２は、プリスキャンにより原稿Ｇがカラーかモノクロかを判断するタイプであっても良いし、メモリに読取り画像信号を保存するプリスキャンレスタイプであっても良い。
【００２３】
入力部である画像処理部１８は、信号処理部、ページメモリ、外部出力用バッファ等を有する。画像処理部１８は、４ラインＣＣＤセンサ１２からのＲ（赤）、Ｇ（緑）、Ｂ（青）、Ｋ（黒）の読取り画像信号に、ログ変換、カラー変換、中間調処理、ディザリング処理、誤差拡散、ガンマ補正、その他の画像処理工程を含む多くの画像処理を実施して、デジタル画像信号であるＹ（イエロ）、Ｍ（マゼンタ）、Ｃ（シアン）、ＢＫ（ブラック）の画像データに変換する。画像処理部１８により画像処理された画像データは、画像形成のためプリンタ２０に入力される。
【００２４】
入力セレクタ１４ａ及び判断部１６は、プリンタ２０でコピーを得る前に、コピー処理を禁止するか否かの判断の要否を判別する。例えば著作権で保護された画像のコピーや、非合法的なコピーの回避などのために、コピーを禁止するか否かの判断が必要かあるいは不要かを判別する。又、入力セレクタ１４ａ及び判断部１６は、使用する複写機やプリンタのタイプあるいは、カラー出力かモノクロ出力かの出力様式の違い等モードの違いによって、或る条件下でのコピーを禁止するか否かの判断の要否を選別して判別する。
【００２５】
入力セレクタ１４ａは、必要に応じて４ラインＣＣＤセンサ１２から出力される読取り画像信号を判断部１６に供給するが、読取り画像信号を判断部１６に供給するか否かをセレクトするファクタは、原稿Ｇの画像内容、あるいは画像処理システム１０の構成、更にはプリンタ２０のプリントモード等の幾つかある。例えばコピーを禁止するか否かの判断を必要とする場合として、カラー原稿Ｇをカラープリントする場合がある。そうではなく原稿Ｇがモノクロであったり、あるいはプリンタ２０がモノクロ専用機又はモノクロモードに限定設定されていれば、コピーを禁止するか否かの判断は不要となり、読取り画像信号を判断部１６に供給する必要は無くなる。
【００２６】
但し入力セレクタ１４ａで読取り画像信号を判断部１６に供給するか否かをセレクトするファクタは色々あり、原稿Ｇがモノクロであったとしても例えばコピーモードもモノクロの場合、テキスト原稿に対してテキストコピーである場合、写真原稿に対して写真コピーである場合等には、コピーを禁止するか否かの判別が必要となることがある。入力セレクタ１４ａは、判断部１６でコピーを禁止するか否かの判断の要否が必要となれば、判断部１６に４ラインＣＣＤセンサ１２の信号を供給する。
【００２７】
ここで４ラインＣＣＤセンサ１２が、カラーとモノクロ同時出力ＣＣＤセンサであれば、入力セレクタ１４ａには、Ｒ（赤）、Ｇ（緑）、Ｂ（青）のカラー信号とモノクロ信号とが送られる。但し入力セレクタ１４ａは、全ての信号を判断部１６に入力するのではなく、図２に示すようにＲ（赤）、Ｇ（緑）、Ｂ（青）のカラー信号のみを選択して判断部１６に入力する。
【００２８】
このようにすれば、カラー信号とモノクロ信号の両方を用いて選択する場合に比し、入力セレクタ１４ａの回路及び選択操作の簡素化を図れる。特にカラー信号とモノクロ信号とで解像度が異なる場合等においては、入力セレクタ１４ａの回路及び選択操作が一層簡素化される。
【００２９】
尚読取り画像信号が光学ユニット８のキャリッジ制御により倍率変動している場合は、入力セレクタ１４ａで選択したＲ（赤）、Ｇ（緑）、Ｂ（青）のカラー信号をそのまま判断部１６に入力すると、後述する判断部１６での辞書との比較時に、読取り画像信号の倍率変動に対応した辞書を全て備えておくことが要求される。この場合には、図３に示すように入力セレクタ１４ａからの読取り画像信号を変倍処理部１７を介して全て１００％に変倍した後判断部１６に入力する。このようにすれば、倍率変動された画像の不正コピー防止のための判断の要否を単一の辞書で行うことが可能となり、辞書のためのメモリの節約を得られる。
【００３０】
判断部１６は、入力セレクタ１４ａから入力される読取り画像信号がコピーを禁止されている画像に相当するか否の判断の要否を判別するため、読取り画像信号を比較する辞書１６ａを判断部１６の一部あるいは、例えばＲＯＭ、ＮＶＲＡＭ、ハードディスクドライブなどの外部の記憶エリアに有する。
【００３１】
判断部１６は不正コピー防止のために、読取り画像信号と辞書１６ａ中の所定のパターンとを比較して、読取り画像信号にコピーを禁止するか否かの判断の要否を判別する。判断部１６は、コピーを禁止するか否かの判断の要否結果を画像処理部１４あるいは必要に応じてプリンタ２０に入力する。
【００３２】
次に図４のフローチャートを参照してコピーを禁止するか否かの判断の要否の判別について述べる。読取り開始によりステップ２０２で、光学系ユニット８を走査して、４ラインＣＣＤセンサ１２により原稿Ｇの画像を読取る。ステップ２０４で４ラインＣＣＤセンサ１２によりＲ（赤）、Ｇ（緑）、Ｂ（青）のカラー信号とモノクロ信号が発生される。４ラインＣＣＤセンサ１２がカラーとモノクロの出力を切り換えるタイプであり、ＡＣＳ１２ａあるいはコントロールパネル１２ｂからのユーザ選択により、読取り画像からＲ（赤）、Ｇ（緑）、Ｂ（青）のカラー信号が選択的に出力された場合は、ステップ２０６に進む。
【００３３】
又４ラインＣＣＤセンサ１２がカラーとモノクロ同時出力タイプであれば、ステップ２０４でＲ（赤）、Ｇ（緑）、Ｂ（青）のカラー信号又は、Ｒ（赤）、Ｇ（緑）、Ｂ（青）のカラー信号とＢ（黒）のモノクロ信号の両方、あるいはＲ（赤）、Ｇ（緑）、Ｂ（青）のカラー信号とＢ（黒）のモノクロ信号とを合成した信号のいずれかが出力された場合もステップ２０６に進む。但し、４ラインＣＣＤセンサ１２の出力から、原稿Ｇがモノクロ原稿であれば、原稿画像のコピー処理を禁止するか否かの判別処理をしないで、４ラインＣＣＤセンサ１２の読取り画像信号を画像処理部１８に入力して画像データに変換する。次いで画像処理部１８から画像データをプリンタ２０に入力してモノクロプリントを実施する。
【００３４】
ステップ２０６では、判断部１６での判別のためにＲ（赤）、Ｇ（緑）、Ｂ（青）のカラー信号又は、Ｒ（赤）、Ｇ（緑）、Ｂ（青）のカラー信号とＢ（黒）のモノクロ信号の両方、あるいはＲ（赤）、Ｇ（緑）、Ｂ（青）のカラー信号とＢ（黒）のモノクロ信号とを合成した信号のいずれかを判断部１６に供給する。但し、画像処理システム１０のプリンタ２０がモノクロ専用機又はモノクロモードに限定設定されている場合は、入力セレクタ１４ａから判断部１６に読取り画像信号を供給すること無く、読取り画像信号を画像処理部１８で画像データに変換しプリンタ２０でモノクロコピーを得る。
【００３５】
ステップ２０８では、判断部１６で読取り画像信号を辞書１６ａの所定のパターンと比較して、原稿画像のコピーを禁止するか否かの判断の要否を判別する。ステップ２１０は、判断部１６での判別結果を画像処理部１８に入力する。ステップ２１６では判断部１６の判別結果に応じて、コピーを禁止するか否かを判断し、コピー処理を禁止された場合画像処理部１８は画像処理をしないか、あるいはコピー処理禁止画像用の画像処理を施す。コピー禁止画像用の画像処理とは、例えば、モザイク状など所定のパターン画像に画像を変換したり、モノクロ画像に変換したり、所定のマークを画像に追加したりすることである。コピー処理を許可された場合画像処理部１８は読取り画像信号の画像データへの変換を実行し、ステップ２１８で、画像処理部１８からの画像データによりプリンタ２０にてカラーコピーを実施する。
【００３６】
このように構成すれば、４ラインＣＣＤセンサ１２を用いて読取られた原稿画像のコピー時において、不正あるいは不必要な画像のコピーを防止するために、コピーを禁止するか否かの判断をする際に、カラー原稿をモノクロコピーする場合のように、コピーを禁止するか否かの判断が不要であれば、入力セレクタ１４ａから判断部１６への読取り画像信号の供給を最初から行わないので、コピーを禁止するか否かの判断を必要とする情報についてのみ判別操作を実施出来る。従って、コピー処理を禁止するか否かの判断の要否を判別する際に、判別操作の簡素化及び高速化を得られひいては不正あるいは不必要なコピーを容易且つ高速で防止可能となり、画像情報の秘匿性向上を得られる。
【実施例２】
【００３７】
次に図５乃至図１１を参照して本発明の実施例２について説明する。この実施例２は、実施例１にて、４ラインＣＣＤセンサ１２による読取り画像信号を判断部で判別した結果をセレクタ処理するものである。更に、本実施例は実施例１にて判断部の判別結果を、画像メモリへの読取り画像信号の入力前あるいは画像処理部への読取り画像信号の入力前、に出力セレクタを介して供給するものであり、実施例１と同一部分については同一符号を付しその説明を省略する。先ず、判別結果を出力セレクタを介し画像メモリに入力する（具体例１）について述べる。
【００３８】
（具体例１）
図５に示すように画像処理システム３０の４ラインＣＣＤセンサ１２の出力は、判断部１６及び画像処理部１８に入力される。画像処理部１８により変換された画像データは、入力部である画像メモリ２１に入力され、画像形成のための画像データは、画像メモリ２１からプリンタ２０に入力される。又、判断部１６の判別結果は、画像処理部１８から画像メモリ２１に画像データが入力される前に、出力セレクタ１４ｂに選択供給される。画像メモリ２１は、原稿Ｇから読取った画像や、パーソナルコンピュータ等から送られてきた画像情報等を記憶可能となっている。
【００３９】
ここで４ラインＣＣＤセンサ１２が、カラーとモノクロ同時出力タイプであれば、判断部１６には、Ｒ（赤）、Ｇ（緑）、Ｂ（青）のカラー信号とモノクロ信号とが送られる。この場合、全ての信号を夫々判断部１６に入力するのではなく、例えば、Ｒ（赤）、Ｇ（緑）、Ｂ（青）のカラー信号のみを選択して判断部１６に入力したり、あるいは図６に示すようにＲ（赤）、Ｇ（緑）、Ｂ（青）のカラー信号とモノクロ信号とを合成回路や四則演算等を用いる合成部３１で合成カラー信号を生成し判断部１６に入力する。
【００４０】
このようにすれば、カラー信号とモノクロ信号の両方を用いて判別する場合に比し、判断部１６の回路及び操作の簡素化を図れる。特にカラー信号とモノクロ信号とで解像度が異なる場合等においては、判断部の回路及び操作が一層簡素化される。
【００４１】
尚、読取り画像信号が、光学ユニット８のキャリッジ制御により倍率変換されている場合は、合成部３１でカラー信号とモノクロ信号とを合成する前、あるいは合成後に、実施例１と同様の変倍処理部１７を設けて、読取り画像信号を全て１００％に変倍してから判断部１６に入力してもよい。このようにすれば、倍率変換された画像の不正コピー防止のための判断の要否を単一の辞書で行うことが可能となり、辞書のためのメモリの節約を得られる。
【００４２】
但し、４ラインＣＣＤセンサ１２からのカラー信号とモノクロ信号の解像度が異なる場合であっても、図７に示すカラー変倍部３２あるいは、図８に示すモノクロ変倍部３３により、カラー信号あるいはモノクロ信号のいずれかを変倍して、カラー信号とモノクロ信号の解像度を揃えて合成部３１で合成カラー信号を生成し判断部１６に入力すれば、判断部１６の構成を複雑化すること無く不正コピー防止のための判断の要否を容易に得られる。この時カラー信号あるいはモノクロ信号のどちらを変倍して解像度を揃えるかは、どちらの方が判断精度の向上を得られるか、あるいはどちらの方が解像度を揃え易いか等の諸条件により任意である。
【００４３】
又この４ラインＣＣＤセンサ１２からのカラー信号とモノクロ信号の解像度が異なる場合において、画像読取時に光学ユニット８のキャリッジ制御により画像倍率が変換されている場合は、前述と同様に、合成部３１の前後のいずれかに変倍処理部１７を設けて、読取り画像信号を全て１００％に変倍した後判断部１６に入力して、倍率変換された画像の不正コピー防止のための判断の要否を単一の辞書で行えば、辞書のためのメモリの節約を得られる。
【００４４】
次に図９のフローチャートを参照して、作用について述べる。実施例１と同様にして、ステップ２０２、ステップ２０４を経て、ステップ２１２に進む。ステップ２１２では、４ラインＣＣＤセンサ１２から判断部１６に入力された読取り画像信号を、辞書１６ａの所定のパターンと比較して、原稿画像のコピー処理を禁止するか否かの判断の要否を判別する。ステップ２１４では、出力セレクタ１４ｂが判断部１６の判別結果を選択して供給する。判断部１６の判別結果は画像処理部１８から画像メモリ２１に画像データが入力される前に供給してもよい。出力セレクタ１４ｂは、画像処理部１８でのコピーを禁止するか否かの判断が不必要な場合は、判断部１６の判別結果を、画像データに供給しない。
【００４５】
例えば、画像処理部１８からの画像データがカラーであり画像メモリ２１にカラー画像データが記憶されるのであれば、コピーを禁止するか否かの判断が必要であることから出力セレクタ１４ｂは判断部１６の判別結果を画像処理部１８からの画像データに供給する。この時プリンタ２０がモノクロである場合には、画像処理システム３０においてはモノクロコピーしか得られないので、本来コピーを禁止するか否かの判断は不要である。しかしながら、画像メモリ２１にカラー画像データが記憶されことから、コピーを禁止するか否かの判断が必要となるので、出力セレクタ１４ｂは判断部１６の判別結果を供給する。
【００４６】
但し、画像処理部１８からの画像データがモノクロ画像であり画像メモリ２１にモノクロ画像データが記憶される場合には、画像メモリ２１中の画像データを利用してのコピー画像はモノクロ画像に限定され、コピーを禁止するか否かの判別は不要となるので、出力セレクタ１４ｂから画像メモリ２１側に判断部１６の判別結果は供給されない。
【００４７】
この後ステップ２２０で、出力セレクタ１４ｂから供給される判別結果に応じてコピー処理を禁止された場合は画像処理部１８から画像メモリ２１への画像データの入力をしない。コピー処理を許可された場合は、画像処理部１８からの画像データを画像メモリ２１に記憶してステップ２２２で画像メモリ２１中の画像データをプリンタ２０に入力し、プリンタ２０にてカラーコピーを実施する。
【００４８】
次に、判断部１６の判別結果を出力セレクタ１４ｂを介し画像処理部１８に入力する（具体例２）について述べる。
【００４９】
（具体例２）
図１０に示すように画像処理システム４０の４ラインＣＣＤセンサ１２の出力は、判断部１６及び画像メモリ２１に入力され読取り画像信号が記憶される。この画像メモリ２１に記憶される読取り画像信号はプリスキャンレスのＡＣＳ１２ａの判断にも使用される。プリンタ２０によるコピー発生時に、読取り画像信号は画像メモリ２１から画像処理部１８に入力され画像処理後プリンタ２０に入力される。判断部１６の判別結果は出力セレクタ１４ｂから画像処理部１８に供給される。
【００５０】
図１１のフローチャートに示すように具体例１と同様にして、ステップ２０２〜ステップ２１２を経て、ステップ２２４に進む。ステップ２２４では、出力セレクタ１４ｂが判断部１６の判別結果を選択してコピーを禁止するか否かの判別が必要な場合に画像処理部１８に供給する。例えば、ＡＣＳ１２ａあるいはコントロールパネル１２ｂからのユーザ選択により、画像メモリ２１に入力される読取り画像信号がモノクロ画像であると判明すれば、コピーを禁止するか否かの判断は不必要となるが、それ以外の場合はコピーを禁止するか否かの判断を必要とし、出力セレクタ１４ｂは判断部１６の判別結果を画像処理部１８に供給する。
【００５１】
ステップ２２６では出力セレクタ１４ｂから供給される判断部１６の判別結果に応じて、コピー禁止を判断する場合、画像メモリ２１から画像処理部１８への読取り画像信号の入力をしない。コピーを許可された場合画像処理部１８は画像メモリ２１からの入力信号の画像処理を実行し、ステップ２２８で、画像処理部１８からの画像データによりプリンタ２０にてカラーコピーを実施する。
【００５２】
このように構成すれば、４ラインＣＣＤセンサ１２で読取られた原稿画像のコピー時、コピーを禁止するか否かの判別が必要な場合のみ、判断部１６による判別結果を出力セレクタ１４ｂから画像メモリ２１あるいは画像処理部１８に供給し、コピーを禁止するか否かの判別が不要であれば、出力セレクタ１４ｂから画像メモリ２１あるいは画像処理部１８への判別結果の供給を行わない。従って、実施例１と同様コピー処理を禁止するか否かの判別操作の簡素化及び高速化による不正あるいは不必要なコピー防止の簡素化及び高速化が可能となる。
【実施例３】
【００５３】
次に図１２を参照して本発明の実施例３について説明する。この実施例３は、前記具体例１にて判断部の構造が異なるものであり、具体例１と同一部分については同一符号を付しその説明を省略する。本実施例にあっては、画像処理システム５０は、カラーとモノクロ同時出力タイプの４ラインＣＣＤセンサ１２からの出力を判別するサブカラー判断部５１とサブモノクロ判断部５２更に総合判断部５３を有する。サブカラー判断部５１は、Ｒ（赤）、Ｇ（緑）、Ｂ（青）のカラー信号から読取り画像信号がコピーを禁止されている画像に相当するか否かを判別する。サブモノクロ判断部５２は、モノクロ信号から読取り画像信号がコピーを禁止されている画像に相当するか否かを判別する。
【００５４】
総合判断部５３は、サブカラー判断部５１とサブモノクロ判断部５２からの判別結果を合成して、読取り画像信号がコピーを禁止されている画像に相当するか否かを判別する。例えばサブカラー判断部５１は、Ｒ（赤）、Ｇ（緑）、Ｂ（青）のカラー信号から画像の色味に関して辞書の所定の色分布のパターンと比較して判別し、サブモノクロ判断部５２は、モノクロ信号から画像のエッジに関して辞書の所定の形状パターンと比較して判別する。総合判断部５３からの判別結果を出力セレクタ１４ｂで選択して画像メモリ２１に画像データが入力される前に供給する。
【００５５】
このようにすれば、４ラインＣＣＤセンサ１２を用いて読取られた原稿画像の不正あるいは不必要なコピー防止時に、読取り画像信号の色味及びエッジが夫々より精密に判別可能となり、コピー処理を禁止するか否かの判別がより精密に可能となり、判別精度を向上できる。
【実施例４】
【００５６】
次に図１３を参照して本発明の実施例４について説明する。この実施例４は、前記具体例２にて、４ラインＣＣＤセンサ１２をカラーとモノクロ同時出力タイプに限定し、且つ画像処理後の画像データをスキャンファイルに出力するものであり、具体例２と同一部分については同一符号を付しその説明を省略する。本実施例にあっては、画像処理システム６０は、カラーとモノクロ同時出力タイプの４ラインＣＣＤセンサ１２から画像メモリ２１に入力された読取り画像信号は、画像処理部１８に入力され画像処理後モノクロ専用プリンタ２０ａに入力されると共にスキャンファイル６１に入力される。判断部１６の判別結果は、セレクタを介することなく、画像処理部１８に供給される。
【００５７】
即ち、本実施例にあっては、ＡＣＳ１２ａでのカラーかモノクロの判断に関わらず、例えばモノクロ専用プリンタ２０ａによりモノクロ画像をコピーするモノクロモードの場合でも判断部１６は常に画像メモリ２１に入力される読取り画像信号がコピーを禁止するか否かの要否の判別を行い、判断部１６の判別結果を常に画像処理部１８に供給するものである。これによりカラーモードでの使用が可能なスキャンファイル６１に関してコピーを禁止するか否かの判別を行える。
【００５８】
尚本実施例ではプリスキャンレスＡＣＳ１２ａに用いる等のために読取り画像信号を一旦画像メモリ２１に記憶するが、４ラインＣＣＤセンサ１２からの読取り画像信号を直接画像処理部１８に入力し、画像処理部１８からモノクロ専用プリンタ２０ａ及びスキャンファイル６１に入力する際に、判断部１６による判別結果を供給する等しても良い。
【００５９】
このように構成すれば、４ラインＣＣＤセンサ１２を用いて読取られた原稿画像の不正あるいは不必要なコピー防止時に、画像処理システム６０がカラーモードであるかモノクロモードであるかに関わらず、又ＡＣＳ１２ａの判断結果に関わらず、判断部１６は常にコピーを禁止するか否かの判断の要否を判別し、モード変更を行った場合等における判別漏れを防止できる。
【実施例５】
【００６０】
次に図１４及び図１５を参照して本発明の実施例５について説明する。この実施例５は、前記具体例１にて画像処理システムにモードパラメータを備えたものであり、具体例１と同一部分については同一符号を付しその説明を省略する。先ず、画像処理部１８の入力前にコピーを禁止するか否かを判断する（具体例３）について述べる。
【００６１】
（具体例３）
図１４に示す画像処理システム７０の画像処理部１８は、モードパラメータ７１により、カラー／モノクロ、テキスト原稿／写真原稿、コピー／スキャン等の各種操作モードを設定される。モードパラメータ７１は、オペレータによりコントロールパネル等から変更可能とされる。４ラインＣＣＤセンサ１２の読取り画像信号は、画像処理部１８及び判断部１６に入力され、判断部１６は、画像処理部１８の設定モードの如何に関わらず常に読取り画像信号がコピーを禁止するか否かの判断の要否の判別を行い、判別結果をセレクタを介することなく常に画像処理部１８に対して供給するものである。
【００６２】
従って、画像処理部１８は、判断部１６の判別結果に応じて、画像メモリ、プリンタあるいはスキャンファイル等へ入力する際にコピーを禁止するか否かの判断を行うこととなる。
【００６３】
次に、画像処理部１８による画像処理後にコピーを禁止するか否かを判断する（具体例４）について述べる。
【００６４】
（具体例４）
図１５に示す画像処理システム７５は、画像処理部１８の後ろに判断部１６が接続される。但し判断部１６には画像処理部１８をスルーした４ラインＣＣＤセンサ１２からの読取り画像信号である画像処理スルー信号が入力される。即ち判断部１６は、画像処理部１８の設定モードの如何に関わらず常に読取り画像信号の不正コピーを禁止するか否かの判断の要否の判別を行い、判別結果をセレクタを介することなく常に画像処理部１８に対して供給するものである。
【００６５】
従って、画像処理部１８は、具体例３と同様判断部１６の判別結果に応じて、画像メモリ、プリンタあるいはスキャンファイル等へ入力する際にコピーを禁止するか否かの判断を行うこととなる。
【００６６】
このように構成すれば、４ラインＣＣＤセンサ１２を用いて読取られた原稿画像の不正あるいは不必要なコピー防止時に、画像処理部１８のモードパラメータにより設定されている操作モードに影響されることなく、判断部１６はコピーを禁止するか否かの要否の判別を行うことから、判別漏れを防止できる。
【実施例６】
【００６７】
次に図１６乃至図１８を参照して本発明の実施例６について説明する。この実施例６では、例えば具体例１で、４ラインＣＣＤセンサから出力されるズーム処理された読取り画像信号について不正コピーを防止する際に使用する辞書を詳述するものであり、具体例１と同一部分については同一符号を付しその説明を省略する。一般に判断部で読取り画像信号との比較を行うための辞書は、図１６に示すように、オリジナルパターン８０に対して、縮小／拡大パターン８１ａあるいは回転パターン８１ｂを含む多数の保護パターン８１を備えている。そして判断部では、読取り画像信号が、辞書の保護パターン８１のいずれかとマッチングするかを比較して、マッチングするパターンが有った時は不正防止のための判断を行うという判別が成され、マッチングするパターンが無かった時は、不正防止のための判断を不要とするという判別が成される。
【００６８】
図１７に示す画像処理システム８５は、原稿Ｇ読取時のキャリッジ９ａ、９ｂの走査方向である副走査方向のズーム操作を、スキャナ７側のキャリッジ制御手段による光学系ユニット８の第１及び第２のキャリッジ９ａ、９ｂの走査速度の調整と、４ラインＣＣＤセンサ１２で読取った後の画像処理とを組み合わせて行っている。画像出力倍率は、倍率指示手段であるコントロールパネルから入力される。又キャリッジ制御手段は、コントロールパネルで指示可能な倍率ポイント数より少ない画像出力倍率２５％、１００％、４００％のピンポイント数変動する。
【００６９】
即ち副走査方向のズーム操作は、図１８に示すように、画像出力倍率を２５％〜４００％迄変動するために、第１及び第２のキャリッジ９ａ、９ｂの走査速度を画像出力倍率２５％、１００％、４００％のピンポイントで変動する。
【００７０】
一方、画像出力倍率２５％〜１００％の間と、１００％〜４００％の間は、画像処理部１８の画像変倍処理部１８ａでの画像処理により調整されている。画像変倍処理部１８ａは、主走査方向のズーム操作のための画像処理も行う。
【００７１】
原稿Ｇの読取時、設定された画像出力倍率に応じて、ピンポイントの画像出力倍率２５％、１００％、４００％のいずれかの走査速度に設定される光学系ユニット８により原稿Ｇを走査して４ラインＣＣＤセンサ１２に読取る。４ラインＣＣＤセンサ１２からの読取り画像信号は、画像処理部１８及び判断部１６に入力される。この後画像処理部１８においては、第１及び第２のキャリッジ９ａ、９ｂの走査により得られたピンポイント倍率の画像を所望の設定された画像出力倍率となるように画像処理する。
【００７２】
画像出力倍率を２５％〜４００％迄変動可能であるものの、４ラインＣＣＤセンサ１２から判断部１６に入力される読取り画像信号の画像出力倍率は、ピンポイントの２５％、１００％、４００％のみである。従って判断部１６は、読取り画像信号と比較するため、画像出力倍率２５％に対応する辞書Ａ８６、画像出力倍率１００％に対応する辞書Ｂ８７、画像出力倍率４００％に対応する辞書Ｃ８８を備えている。
【００７３】
原稿Ｇの読取時、コントロールパネルから画像出力倍率が設定されると、光学系ユニット８の第１及び第２のキャリッジ９ａ、９ｂの走査速度をピンポイント変倍して、４ラインＣＣＤセンサ１２による原稿Ｇの読取りを開始する。判断部１６では、４ラインＣＣＤセンサ１２から判断部１６に入力された読取り画像信号を、ピンポイント変倍に対応する辞書と比較して、コピーを禁止するか否かの判断の要否を判別する。
【００７４】
即ち本実施例にあっては、判断部１６は、２５％〜１００％及び１００％〜４００％の途中の倍率変換を画像処理で行う前の、第１及び第２のキャリッジ９ａ、９ｂの走査速度の調整による２５％、１００％、４００％のピンポイント倍率での読取り画像信号のみを辞書Ａ〜辞書Ｃ８６〜８８と比較判断することとなる。従って、キャリッジの走査速度の変動のみで画像出力倍率を変換するスキャナに比しモータを３段階に制御するのみであることから、第１及び第２のキャリッジ９ａ、９ｂの制御の低価格化を得られると共に、判断部１６に備える辞書も２５％、１００％、４００％のピンポイント倍率に対応する３種類のみで良く、辞書のためのメモリ容量を低減出来、読取り画像信号との比較操作の簡素化も可能となる。
【００７５】
尚、上記辞書Ａ〜辞書Ｃ８６〜８８は、読取時の原稿Ｇの傾きに対応するために、例えば図１６の回転パターン８１ｂに示すような複数の回転パターンを有するが、図１９に示す変形例のように、辞書９０に４ラインＣＣＤセンサ１２からの読取り画像信号の傾きを補正する計算部９０ａを設けても良い。このようにすれば、原稿Ｇ読取時に原稿Ｇの傾きによって、判断部１６に各種傾き毎に異なる読取り画像信号が入力されても、計算部９０ａにより読取り画像信号の傾きを補正出来、各種傾き毎に異なる読取り画像信号を単一の辞書９０と比較出来る。
【実施例７】
【００７６】
次に図２０及び図２１を参照して本発明の実施例７について説明する。この実施例７は、例えば具体例１で、４ラインＣＣＤセンサから出力されるズーム処理された読取り画像信号について不正コピーを防止する際の、判断部に入力する読取り画像信号について詳述するものであり、具体例１と同一部分については同一符号を付しその説明を省略する。
【００７７】
図２０に一部を示す画像処理システム９２は、第１及び第２のキャリッジ９ａ、９ｂの走査速度を調整可能なスキャナ７の４ラインＣＣＤセンサ１２からの読取り画像信号は、画像変倍処理部１８ａを有する画像処理部１８に入力される。更に４ラインＣＣＤセンサ１２からの読取り画像信号は、比較変倍処理部９３を介して判断部１６に入力される。画像変倍処理部１８ａは、画像処理部１８に入力される読取り画像信号を主走査方向及び副走査方向に変倍して、最終的に、スキャンファイルやプリンタあるいは画像メモリに入力する変倍画像データを生成する。比較変倍処理部９３は、４ラインＣＣＤセンサ１２からの読取り画像信号の主走査方向あるいは副走査方向を変倍して、常に判断部１６に主走査方向と副走査方向の倍率同一の信号を入力する。
【００７８】
次に図２１の（表１）に示す操作毎の主走査方向及び副走査方向の画像出力倍率を参照して具体例について説明する。
【００７９】
（具体例５）
副走査方向の変倍をピンポイント変倍を行わずキャリッジ走査とし、画像出力倍率１５０％を得る（具体例５）の場合、４ラインＣＣＤセンサ１２からの読取り画像信号は、主走査方向の画像出力倍率１００％、副走査方向の画像出力倍率１５０％で画像処理部１８と比較変倍処理部９３に入力される。画像処理部１８では画像変倍処理部１８ａで読取り画像信号の主走査方向を１５０％に信号処理し、主走査方向と副走査方向の画像出力倍率を１５０％に揃えて画像メモリ、プリンタあるいはスキャンファイル等へ出力する。
【００８０】
比較変倍処理部９３では読取り画像信号の副走査方向を６６％に信号処理し、主走査方向と副走査方向の画像出力倍率を１００％に揃えて判断部１６に入力する。判断部１６は、読取り画像信号を画像出力倍率１００％対応の辞書と比較し不正防止のための判断の要否の判別を行う。
【００８１】
（具体例６）
副走査方向の変倍を１００％のピンポイント変倍とし、画像出力倍率１５０％を得る（具体例６）の場合、４ラインＣＣＤセンサ１２からの読取り画像信号は、主走査方向と副走査方向の画像出力倍率１００％で画像処理部１８と比較変倍処理部９３に入力される。画像処理部１８では画像変倍処理部１８ａで読取り画像信号の主走査方向と副走査方向を共に１５０％に信号処理して、画像メモリ、プリンタあるいはスキャンファイル等へ出力する。
【００８２】
比較変倍処理部９３では読取り画像信号の信号処理を行わず、主走査方向と副走査方向の画像出力倍率を共に１００％のまま判断部１６に入力する。判断部１６は、読取り画像信号を画像出力倍率１００％対応の辞書と比較し不正防止のための判断の要否の判別を行う。
【００８３】
（具体例７）
副走査方向の変倍をピンポイント変倍を行わずキャリッジ走査とし、画像出力倍率６６％を得る（具体例７）の場合、４ラインＣＣＤセンサ１２からの読取り画像信号は、主走査方向の画像出力倍率１００％、副走査方向の画像出力倍率６６％で画像処理部１８と比較変倍処理部９３に入力される。画像処理部１８では画像変倍処理部１８ａで読取り画像信号の主走査方向を６６％に信号処理し、主走査方向と副走査方向の画像出力倍率を６６％に揃えて画像メモリ、プリンタあるいはスキャンファイル等へ出力する。
【００８４】
比較変倍処理部９３では読取り画像信号の副走査方向を１５０％に信号処理し、主走査方向と副走査方向の画像出力倍率を１００％に揃えて判断部１６に入力する。判断部１６は、読取り画像信号を画像出力倍率１００％対応の辞書と比較し不正防止のための判断の要否の判別を行う。
【００８５】
尚上記具体例５〜７では、画像出力倍率を、縦横等しい倍率の等方変倍としたが、画像出力倍率は、縦長や横長の非等方変倍であっても良い。
【００８６】
本実施例によれば、常に判断部１６に入力される読取り画像信号の画像出力倍率を特定出来、辞書の削減によるメモリ容量の節約を得られると共に判断部１６での比較操作を簡素化出来る。
【００８７】
尚本発明は、上記実施例に限られるものではなく、本発明の範囲内で種々変更可能であり、例えば、４ラインＣＣＤセンサの解像度等任意であるし、キャリッジのピンポイント変動の倍率や、数等任意である。さらに４ラインＣＣＤセンサは、例えば３ラインＣＣＤセンサと共にモノクロＣＣＤセンサを別途設けたり、Ｒ、Ｇ、Ｂ、モノクロの各センサをそれぞれ設けたりして、組み合わせて利用することで置換可能であることはいうまでもない。
【図面の簡単な説明】
【００８８】
【図１】本発明の実施例１の画像処理システムを概略的に示す構成図である。
【図２】本発明の実施例１の同時出力ＣＣＤセンサによる読取り画像信号の選択を示す説明図である。
【図３】本発明の実施例１のキャリッジ制御による倍率変動時の判断部への入力信号を示す説明図である。
【図４】本発明の実施例１の画像処理システムによる画像処理動作を示すフローチャートである。
【図５】本発明の具体例１の画像処理システムを概略的に示す構成図である。
【図６】本発明の具体例１の同時出力ＣＣＤセンサによる読取り画像信号の合成を示す説明図である。
【図７】本発明の具体例１の解像度が異なる同時出力ＣＣＤセンサによる読取り画像信号の合成を示す説明図である。
【図８】本発明の具体例１の解像度が異なる同時出力ＣＣＤセンサによる読取り画像信号の合成を示す説明図である。
【図９】本発明の具体例１の画像処理システムによる画像処理動作を示すフローチャートである。
【図１０】本発明の具体例２の画像処理システムを概略的に示す構成図である。
【図１１】本発明の具体例２の画像処理システムによる画像処理動作を示すフローチャートである。
【図１２】本発明の実施例３の画像処理システムを概略的に示す構成図である。
【図１３】本発明の実施例４の画像処理システムを概略的に示す構成図である。
【図１４】本発明の具体例３の画像処理システムを概略的に示す構成図である。
【図１５】本発明の実施例４の画像処理システムを概略的に示す構成図である。
【図１６】本発明の実施例６の一般的な辞書を示す概略説明図である。
【図１７】本発明の実施例６の画像処理システムを概略的に示す構成図である。
【図１８】本発明の実施例６の副走査方向のズーム操作を示す概略説明図である。
【図１９】本発明の実施例６の変形例の画像処理システムの１部を概略的に示す構成図である。
【図２０】本発明の実施例７の画像処理システムを概略的に示す構成図である。
【図２１】本発明の具体例５〜７の操作毎の主走査方向及び副走査方向の画像出力倍率を示す（表１）である。
【符号の説明】
【００８９】
７…スキャナ
７ａ…原稿台
８…光学系ユニット
８ａ…光源
８ｂ〜８ｄ…第１乃至第３のミラー
９ａ…第１のキャリッジ
９ｂ…第２のキャリッジ
９ｃ…レンズ系
１０…画像処理システム
１２…４ラインＣＣＤセンサ
１２ａ…オートカラーセレクト
１２ｂ…コントロールパネル
１３…集光レンズ
１４ａ…入力セレクタ
１４ｂ…出力セレクタ
１６…判断部
１６ａ…辞書
１７…変倍処理部
１８…画像処理部
２０…プリンタ
【図１】
2004274717.tif 000003
【図２】
2004274717.tif 000004
【図３】
2004274717.tif 000005
【図４】
2004274717.tif 000006
【図５】
2004274717.tif 000007
【図６】
2004274717.tif 000008
【図７】
2004274717.tif 000009
【図８】
2004274717.tif 000010
【図９】
2004274717.tif 000011
【図１０】
2004274717.tif 000012
【図１１】
2004274717.tif 000013
【図１２】
2004274717.tif 000014
【図１３】
2004274717.tif 000015
【図１４】
2004274717.tif 000016
【図１５】
2004274717.tif 000017
【図１６】
2004274717.tif 000018
【図１７】
2004274717.tif 000019
【図１８】
2004274717.tif 000020
【図１９】
2004274717.tif 000021
【図２０】
2004274717.tif 000022
【図２１】
2004274717.tif 000023